(57)【特許請求の範囲】
【請求項１】
光ディスク装置であって、
装着した光ディスクの特性に応じて光ピックアップ系サーボ回路の複数項目の自動調整を順次行う自動調整手段と、
前記自動調整手段によって前回調整した複数項目の自動調整値を保持する保持手段と、
光ディスクが装着され前記自動調整手段による光ピックアップ系サーボ回路の複数項目の自動調整が終了する前に再生指示があったときに、前記複数項目の自動調整のうち、未調整の項目の自動調整は前回調整した自動調整値を前記保持手段から読み出して前記光ピックアップ系サーボ回路に設定する自動調整値設定手段とを
有することを特徴とする光ディスク装置。
【請求項２】
請求項１記載の光ディスク装置において、
前記自動調整値設定手段で設定した自動調整値が装着した光ディスクに適合しないとき、前記自動調整手段は、前記未調整項目の自動調整を行うことを特徴とする光ディスク装置。
【発明の詳細な説明】
【０００１】
【発明の属する技術分野】
本発明は光ディスク装置に関し、特に、ＣＤやＣＤ−Ｒ等の光ディスクを再生する光ディスク装置に関する。
【０００２】
【従来の技術】
光ディスクには、再生専用のＣＤ（コンパクトディスク）や、データ記録が可能なＣＤ−Ｒ，ＭＤ（ミニディスク）等がある。このような光ディスクを再生する光ディスク装置では、光ディスクを装着する毎に、光ピックアップ系サーボの自動調整を行っている。
【０００３】
図４は、従来の光ディスク装置における立ち上げ処理の一例のフローチャートを示す。同図中、ステップＳ１でフォーカス調整を行うフォーカス処理を実行する。次に、ステップＳ２でスピンドルモータを起動して安定回転を待ち、ステップＳ３でＥ−Ｆバランスの自動調整処理を行う。Ｅ−Ｆバランスの自動調整とは、トラッキングサーボをオフとしたまま、トラッキングエラー信号の変化を読み取り、トラッキングオフセットを基準に上側ピークレベルと下側ピークレベルが一致するように可変利得アンプとゲインを調整する動作である。
【０００４】
次に、ステップＳ４でフォーカスバイアスの自動調整処理を行い、ステップＳ５でフォーカスゲインの自動調整処理を行う。フォーカスバイアスの自動調整とは、フォーカスエラー信号に対するフォーカスバイアス電圧値をジッタ最良点となる電圧値に調整する動作であり、ジッタ最良点は対物レンズが光ディスクに接近する方向及び離れる方向に変化させた際の読み取り限界エラーレートとなる２点間の中点である。
【０００５】
更に、ステップＳ６でトラッキングゲインの自動調整処理を行う。次に、ステップＳ７でサーボ安定を待ち、ステップＳ８で光ディスクのＴＯＣ（Ｔａｂｌｅｏｆ  Ｃｏｎｔｅｎｔｓ）情報を読み込み、ステップＳ９で最初のプログラム（ＣＤでは音楽プログラム）の先頭をサーチする。
【０００６】
上記の立ち上げ処理では、フォーカス処理に約７６０ｍｓｅｃ、スピンドルモータの安定回転までに約２ｓｅｃ、Ｅ−Ｆバランスの自動調整処理に約８５０ｍｓｅｃ、フォーカスバイアスの自動調整処理に約１４６０ｍｓｅｃ、フォーカスゲインの自動調整処理に約３２０ｍｓｅｃ、トラッキングゲインの自動調整処理に約３２０ｍｓｅｃ、サーボ安定待ちに約２４ｍｓｅｃ、ＴＯＣ情報の読み込みに約７２０ｍｓｅｃ、最初のプログラムのサーチに約２４０ｍｓｅｃ、それぞれの時間を要する。
【０００７】
【発明が解決しようとする課題】
従来の光ディスク装置は、光ディスクの装着直後にプレイキーを押した場合にも、立ち上げ処理でステップＳ７のサーボ安定待ちが終了するまでＴＯＣ情報の読み込みが行われず、再生開始までに約６．４ｓｅｃと長い時間がかかるという問題があった。
【０００８】
本発明は、上記の点に鑑みなされたもので、光ディスクの装着後、再生までの時間を短縮できる光ディスク装置を提供することを目的とする。
【０００９】
【課題を解決するための手段】
請求項１に記載の発明は、光ディスク装置であって、
装着した光ディスクの特性に応じて光ピックアップ系サーボ回路の複数項目の自動調整を順次行う自動調整手段と、
前記自動調整手段によって前回調整した複数項目の自動調整値を保持する保持手段と、
光ディスクが装着され前記自動調整手段による光ピックアップ系サーボ回路の複数項目の自動調整が終了する前に再生指示があったときに、前記複数項目の自動調整のうち、未調整の項目の自動調整は前回調整した自動調整値を前記保持手段から読み出して前記光ピックアップ系サーボ回路に設定する自動調整値設定手段とを有することにより、
ユーザが光ディスクの再生を急いだ場合に自動調整を行わず前回の自動調整値データを用いて立ち上げ処理を行って光ディスク再生までの時間を短縮できる。
【００１０】
請求項２に記載の発明は、請求項１記載の光ディスク装置において、
前記自動調整値設定手段で設定した自動調整値が装着した光ディスクに適合しないとき、前記自動調整手段は、前記未調整項目の自動調整を行うことにより、前回の自動調整値データが装着した光ディスクに適合していない場合にも装着した光ディスクに適合した自動調整値を得て確実に再生することが可能となる。
【００１１】
【発明の実施の形態】
図１は、本発明の光ディスク装置の一実施例のブロック図を示す。同図中、スピンドルモータ１０は光ディスク１２を所定の回転速度で回転駆動する。スレッドモータ１４は光ピックアップ１６をディスク半径方向に移動させる。光ピックアップ１６は光学系対物レンズ、アクチュエータ、１／４波長板、コリメータレンズ、ビームスプリッタ、発光素子（レーザダイオード）、受光素子（光検出器）等から構成されている。レーザドライバ１８はレーザダイオードを発光させ、レーザビームを出力させる。フロントモニタ２０はレーザビームの光強度を検出して出力する。ＡＬＰＣ（Ａｕｔｏｍａｔｉｃ  Ｌａｓｅｒ  Ｐｏｗｅｒ  Ｃｏｎｔｒｏｌ）２２はフロントモニタ２０の出力に基づいてレーザビームのパワーが最適となるようにレーザドライバを制御する。
【００１２】
ＲＦアンプ２６は再生信号を増幅するヘッドアンプである。このＲＦアンブ２６は、マトリクスアンプを含むものであり、主信号の他に各種サーボ信号を取り出して各サーボ回路に出力する。フォーカス／トラッキングサーボ回路２８はアクチュエータを駆動し、フォーカスサーボ及びトラッキングサーボの制御を行う。送りサーボ回路３０はスレッドモータ１４を駆動制御する。スピンドルサーボ回路３２はスピンドルモータ１０を駆動制御する。
【００１３】
ＣＤデコード回路３４は、ＥＦＭ（Ｅｉｇｈｔ  ｔｏ  Ｆｏｕｒｔｅｅｎ  Ｍｏｄｕｌａｔｉｏｎ）復調、及びＣＩＲＣ（Ｃｒｏｓｓ  Ｉｎｔｅｒｌｅａｖｅｄ  Ｒｅａｄ−ｓｏｌｏｍｏｎ  Ｃｏｄｅ）のデコード、及び同期検出等の処理を行う。
【００１４】
インタフェース／バッファコントローラ４０は、図示しないホストコンピュータとの間のデータの送受、及びデータバッファの制御を行う。ＲＡＭ４１はデータ処理を行うためにデータを一時格納するための補助メモリである。なお、プレイキーを含む各種操作キーが設けられた図示しない操作パネルは上記ホストコンピュータに接続されており、各種操作キーのオン／オフ状態等はホストコンピュータからインタフェース／バッファコントローラ４０を経由してＣＰＵ４２に通知される。
【００１５】
ＣＰＵ４２はメカ動作を含むＣＤ−Ｒドライブ全体の制御を司るマイクロコンピュータである。ＲＡＭ４３はＣＰＵ４２の作業用メモリであり、ＥＥＰＲＯＭ４４はＣＰＵ４２が各種データを保持するためのメモリである。Ｄ／Ａコンバータ４６は、ＣＤデコード回路３４から送出されるオーディオデータをアナログ信号に変換する。オーディオアンプ４８はアナログ変換されたオーディオ信号を増幅して出力する。
【００１６】
図２及び図３は、本発明の光ディスク装置のＣＰＵ４２が実行する立ち上げ処理の一実施例のフローチャートを示す。この処理は光ディスク装置の電源が投入され、ダイレクト再生モードで光ディスクが装着されたとき実行開始する。
【００１７】
図２において、ステップＳ１０でフォーカス調整を行うフォーカス処理を実行する。次に、ステップＳ１２でスピンドルモータを起動して安定回転を待ち、ステップＳ１４でプレイキーが押されてオンであるか否かを判別する。ここで、プレイキーがオンの場合は図３（Ａ）のステップＳ１６に進み、ＥＥＰＲＯＭ４４に、前回のＥ−Ｆバランス自動調整値データ、前回のフォーカスバイアス自動調整値データ、前回のフォーカスゲイン自動調整値データ、前回のトラッキングゲイン自動調整値データそれぞれが記憶されているか否かを判別し、これら全てが記憶されている場合はステップＳ１８で前回のＥ−Ｆバランス自動調整値データ、前回のフォーカスバイアス自動調整値データ、前回のフォーカスゲイン自動調整値データ、前回のトラッキングゲイン自動調整値データそれぞれをＥＥＰＲＯＭ４４から読み出してフォーカス／トラッキングサーボ回路２８及び送りサーボ回路３０に設定する。
【００１８】
そして、ステップＳ２０でサーボ安定を待ち、ステップＳ２２でサーボが安定化したか否かを判別する。サーボが安定化した場合にはステップＳ６０に進むが、サーボが安定化しない場合にはステップＳ１８で設定した各自動調整値データが装着した光ディスクに適合していないため図２のステップＳ２４に進む。ステップＳ２４では、Ｅ−Ｆバランス自動調整処理を行う。ここでは、フォーカスサーボオン状態で光ディスクを回転させ、再生信号から光ディスクの偏芯成分を抽出しＥ−Ｆバランスのずれを補正する補正値をＥ−Ｆバランス自動調整値として設定する。
【００１９】
次に、ステップＳ２５でプレイキーが押されてオンであるか否かを判別する。ここで、プレイキーがオンの場合は図３（Ｂ）のステップＳ２６に進み、ＥＥＰＲＯＭ４４に、前回のフォーカスバイアス自動調整値データ、前回のフォーカスゲイン自動調整値データ、前回のトラッキングゲイン自動調整値データそれぞれが記憶されているか否かを判別し、これら全てが記憶されている場合はステップＳ２８で前回のフォーカスバイアス自動調整値データ、前回のフォーカスゲイン自動調整値データ、前回のトラッキングゲイン自動調整値データそれぞれをＥＥＰＲＯＭ４４から読み出してフォーカス／トラッキングサーボ回路２８及び送りサーボ回路３０に設定する。
【００２０】
そして、ステップＳ３０でサーボ安定を待ち、ステップＳ３２でサーボが安定化したか否かを判別する。サーボが安定化した場合にはステップＳ６０に進むが、サーボが安定化しない場合にはステップＳ２８で設定した各自動調整値データが装着した光ディスクに適合していないため図２のステップＳ３４に進む。ステップＳ３４ではフォーカスバイアス自動調整処理を行う。ここでは、フォーカスバイアスの値を可変して最適値を求め、これをフォーカスバイアス自動調整として設定する。
【００２１】
次に、ステップＳ３５でプレイキーが押されてオンであるか否かを判別する。ここで、プレイキーがオンの場合は図３（Ｃ）のステップＳ３６に進み、ＥＥＰＲＯＭ４４に、前回のフォーカスゲイン自動調整値データ、前回のトラッキングゲイン自動調整値データそれぞれが記憶されているか否かを判別し、これらが記憶されている場合はステップＳ３８で前回のフォーカスゲイン自動調整値データ、前回のトラッキングゲイン自動調整値データそれぞれをＥＥＰＲＯＭ４４から読み出しフォーカス／トラッキングサーボ回路２８及び送りサーボ回路３０に設定する。
【００２２】
そして、ステップＳ４０でサーボ安定を待ち、ステップＳ４２でサーボが安定化したか否かを判別する。サーボが安定化した場合にはステップＳ６０に進むが、サーボが安定化しない場合にはステップＳ３８で設定した各自動調整値データが装着した光ディスクに適合していないため図２のステップＳ４４に進む。ステップＳ４４ではフォーカスゲイン自動調整処理を行う。ここでは、フォーカスサーボオン状態でフォーカスサーボのループゲインを可変して最適値を求め、これをフォーカスゲイン自動調整値として設定する。
【００２３】
次に、ステップＳ４５でプレイキーが押されてオンであるか否かを判別する。ここで、プレイキーがオンの場合は図３（Ｄ）のステップＳ４６に進み、ＥＥＰＲＯＭ４４に、前回のトラッキングゲイン自動調整値データが記憶されているか否かを判別し、これが記憶されている場合はステップＳ４８で前回のトラッキングゲイン自動調整値データをＥＥＰＲＯＭ４４から読み出してフォーカス／トラッキングサーボ回路２８及び送りサーボ回路３０に設定する。そして、ステップＳ５０でサーボ安定を待ち、ステップＳ５２でサーボが安定化したか否かを判別する。サーボが安定化した場合にはステップＳ６０に進むが、サーボが安定化しない場合にはステップＳ４８で設定した前回のトラッキングゲイン自動調整値データが装着した光ディスクに適合していないため図２のステップＳ５４に進む。
【００２４】
ステップＳ５４ではトラッキングゲイン自動調整処理を行う。ここでは、トラッキングサーボオン状態でトラッキングサーボのループゲインを可変して最適値を求め、これをトラッキングゲイン自動調整値として設定する。
【００２５】
そして、ステップＳ５６でＥ−Ｆバランス自動調整値データ、フォーカスバイアス自動調整値データ、フォーカスゲイン自動調整値データ、トラッキングゲイン自動調整値データそれぞれをＥＥＰＲＯＭ４４に前回の自動調整値データとして書き込み、ステップＳ５８でサーボ安定を待つ。
【００２６】
この後、ステップＳ６０で光ディスクのＴＯＣ情報を読み込み、ステップＳ６２で最初のプログラムの先頭をサーチし、ステップＳ６４で光ディスクの再生を開始して処理を終了する。
【００２７】
このように、本実施例では光ディスクの装着による立ち上げ処理が終了する前にプレイキーが押されオンした場合は、ユーザが光ディスクの再生を急いでいるとみなし、自動調整を行わず前回の自動調整値データを用いて立ち上げ処理を行うために光ディスク再生までの時間を最大で従来の半分程度に短縮できる。また、前回の自動調整値データが装着した光ディスクに適合していない場合には自動調整が行われるため、装着した光ディスクに適合した自動調整値を得て確実に再生することが可能となる。
【００２８】
なお、図２，図３は光ディスクの装着により自動的に再生を開始するダイレクト再生モードでの立ち上げ処理を示しているが、ダイレクト再生モードでない場合にはステップＳ６４で再生を開始せず、待機状態となる。
【００２９】
なお、フォーカス／トラッキングサーボ回路２８及び送りサーボ回路３０が請求項記載の光ピックアップ系サーボ回路に対応し、ステップＳ５６が保持手段に対応し、ステップＳ１８，Ｓ２８，Ｓ３８，Ｓ４８が自動調整値設定手段に対応し、ステップＳ２４，Ｓ３４，Ｓ４４，Ｓ５４が自動調整手段に対応する。
【００３０】
【発明の効果】
上述の如く、請求項１に記載の発明によれば、ユーザが光ディスクの再生を急いだ場合に自動調整を行わず前回の自動調整値データを用いて立ち上げ処理を行って光ディスク再生までの時間を短縮できる。
【００３１】
請求項２に記載の発明によれば、前回の自動調整値データが装着した光ディスクに適合していない場合にも装着した光ディスクに適合した自動調整値を得て確実に再生することが可能となる。
【図面の簡単な説明】
【図１】本発明の光ディスク装置の一実施例のブロック図である。
【図２】本発明の光ディスク装置のＣＰＵ４２が実行する立ち上げ処理の一実施例のフローチャートである。
【図３】本発明の光ディスク装置のＣＰＵ４２が実行する立ち上げ処理の一実施例のフローチャートである。
【図４】従来の光ディスク装置における立ち上げ処理の一例のフローチャートである。
【符号の説明】
１０  スピンドルモータ
１２  光ディスク
１４  スレッドモータ
１６  光ピックアップ
１８  レーザドライバ
２０  フロントモニタ
２２  ＡＬＰＣ
２６  ＲＦアンプ
２８  フォーカス／トラッキングサーボ回路
３０  送りサーボ回路
３２  スピンドルサーボ回路
３４  ＣＤデコード回路
４０  インタフェース／バッファコントローラ
４２  ＣＰＵ
４４  ＥＥＰＲＯＭ
４６  Ｄ／Ａコンバータ
４８  オーディオアンプ
【図１】
0003558035.tif 000002
【図２】
0003558035.tif 000003
【図３】
0003558035.tif 000004
【図４】
0003558035.tif 000005